(57)【要約】【課題】本発明はつけやすいサイクリングフェイスマスクを開示した。【解決手段】ネックカバーを含み、前記ネックカバーの中には着用チャンバが設けられ、前記着用チャンバの前側にはフェイスマスクが設けられ、前記フェイスマスクの裏の左右両側には締めベルトが固定的に設けられ、左側の前記締めベルトにはロックブロックが固定的に設けられ、前記ロックブロックの中にはロック機構が設けられ、前記ロック機構は前記締めベルトをロックすることができ、前記フェイスマスクを顔面にくっつけ、前記ネックカバーの頂部にはヘルメットが固定的に設けられ、前記横向き板の底部には日よけカバーが回転できるように設けられ、よけカバーの角度を調節することにより、前記日よけカバーの日よけ効果がよりよくなる。【選択図】図１
2020172734.tif 000002
【特許請求の範囲】
【請求項１】
ネックカバーを含み、前記ネックカバーの中には着用チャンバが設けられ、前記着用チャンバの底部が開口しており、前記着用チャンバの前側にはフェイスマスクが設けられ、前記フェイスマスクの裏の左右両側には締めベルトが固定的に設けられ、前記締めベルトが前記ネックカバーを貫通しており、右側の前記締めベルトの前側端面には位置制限ブロックが固定的に設けられ、左側の前記締めベルトにはロックブロックが固定的に設けられ、前記ロックブロックの中にはロック機構が設けられ、前記ロック機構は前記締めベルトをロックすることができ、前記フェイスマスクを顔面にくっつけ、前記ネックカバーの頂部にはヘルメットが固定的に設けられ、前記ヘルメットの前側端面には横向き板が固定的に設けられ、前記横向き板の底部には日よけカバーが回転できるように設けられ、前記日よけカバーの左右両端面には軸ピンが固定的に設けられ、前記軸ピンと前記横向き板とが回転できるように取り付けられ、前記横向き板の頂部には固定ブロックが固定的に設けられ、前記固定ブロックの中には調節機構が設けられ、前記調節機構は前記日よけカバーの角度を調節でき、これにより前記日よけカバーの日よけ効果がよりよくなることを特徴とするつけやすいサイクリングフェイスマスク。
【請求項２】
前記ロック機構は前記ロックブロックの中に設けられたラック溝を含み、前記ラック溝の中にはラックがスライドできるように設けられ、前記ラックが左へ一回曲がって下へ一回曲がり、前記ラックと前記ロックブロックの底部端面との間には押圧バネが弾性を持つように連結され、前記ラック溝の左側端面には歯車チャンバが設けられ、前記歯車チャンバの中には歯車が回転できるように設けられ、前記歯車と前記ラックとが噛合できるように設けられ、前記歯車チャンバの左側端壁にはスライド溝が設けられ、前記スライド溝の中には引掛り板がスライドできるように設けられ、前記引掛り板と前記歯車とが噛合できるように設けられ、前記引掛り板の左側端面には復帰機構が固定的に設けられ、前記引掛り板が前記位置制限ブロックに引掛り、これにより締めベルトが単一方向にしか運動できなく、外す時、ラックを押し、歯車を回転させ、引掛り板を連動させて上へ位置制限ブロックから離脱させ、これにより締めベルトが位置を制限しなくなり、これにより締めベルトを引き出すことができることを特徴とする請求項１に記載のつけやすいサイクリングフェイスマスク。
【請求項３】
前記調節機構は前記固定ブロックの中に設けられた位置制限チャンバを含み、前記位置制限チャンバの中には位置制限歯車が回転できるように設けられ、前記位置制限歯車の前端が傘歯車の設計であり、前記位置制限チャンバの左右両側端壁の中にはいずれも小型スライドチャンバが設けられ、前記小型スライドチャンバが左右に対称的に設けられ、前記小型スライドチャンバの中にはいずれも位置制限板がスライドできるように設けられ、前記位置制限板が前記位置制限歯車の位置を制限でき、前記位置制限板の頂部には復帰ブロックが固定的に設けられ、前記固定ブロックの頂部端面の中には押し板がスライドできるように設けられ、前記固定ブロックと前記位置制限板とが当接してスライドできるように設けられ、前記押し板の頂端には押しブロックが固定的に設けられ、前記押しブロックの底端と前記固定ブロックの頂端とがバネにより弾性を持つように連結され、前記横向き板の中には伝動チャンバが設けられ、前記伝動チャンバと前記位置制限チャンバとの間には縦軸が回転できるように設けられ、前記縦軸の頂端には第一傘歯車が固定的に設けられ、前記第一傘歯車と前記位置制限歯車とが噛合できるように設けられ、前記縦軸の底端には第二傘歯車が固定的に設けられ、前記横向き板の中には横軸が回転できるように設けられ、前記横軸が前記伝動チャンバを貫通しており、前記横軸の外周には第三傘歯車が固定的に設けられ、前記第三傘歯車と前記第二傘歯車とが噛合できるように設けられ、前記横向き板の中には前記伝動チャンバを対して左右に対称するプーリー溝が設けられ、左側の前記プーリー溝を例として詳しく説明し、前記軸ピンの左側末端には前記プーリー溝の中に位置している大型プーリーが固定的に設けられ、前記横軸の左側末端には小型プーリーが固定的に設けられ、前記小型プーリーと前記大型プーリーとの間がベルトにより伝動できるように連結され、左右に対称する前記プーリー溝の中の機構も同じく設置され、押しブロックを押し、押し板に位置制限板を押圧させ、これにより位置制限板を位置制限歯車から遠く離れさせ、位置制限歯車の位置が制限されなくなり、手動で日よけカバーの角度を調節し、調節完了後に押しブロックを放し、押しブロックを復帰させ、位置制限板が位置制限歯車を固定し、日よけカバーを固定することを特徴とする請求項１に記載のつけやすいサイクリングフェイスマスク。
【発明の詳細な説明】
【技術分野】
【０００１】
本発明はフェイスマスク技術分野を取り上げて、具体的にはつけやすいサイクリングフェイスマスクである。
【背景技術】
【０００２】
サイクリングは極普通のアウトドアスポーツであり、サイクリングは身体能力を高め、記憶力を改善することができ、サイクリングする時には一般的にサイクリングヘルメットやサイクリングフェイスマスクを着用する必要があり、伝統的なサイクリングヘルメットやサイクリングフェイスマスクの機能が単一である一方、つけにくくて面倒くさく、従って、つけやすいサイクリングフェイスマスクを設計する必要がある。
【先行技術文献】
【特許文献】
【０００３】
【特許文献１】中国特許出願公開第１０３４６６０１７号明細書
【発明の概要】
【発明が解決しようとする課題】
【０００４】
本発明の目的はつけやすいサイクリングフェイスマスクを提供し、それは上記の現在の技術中の問題を解決できる。
【課題を解決するための手段】
【０００５】
本発明のつけやすいサイクリングフェイスマスクは、ネックカバーを含み、前記ネックカバーの中には着用チャンバが設けられ、前記着用チャンバの底部が開口しており、前記着用チャンバの前側にはフェイスマスクが設けられ、前記フェイスマスクの裏の左右両側には締めベルトが固定的に設けられ、前記締めベルトが前記ネックカバーを貫通しており、右側の前記締めベルトの前側端面には位置制限ブロックが固定的に設けられ、左側の前記締めベルトにはロックブロックが固定的に設けられ、前記ロックブロックの中にはロック機構が設けられ、前記ロック機構は前記締めベルトをロックすることができ、前記フェイスマスクを顔面にくっつけ、前記ネックカバーの頂部にはヘルメットが固定的に設けられ、前記ヘルメットの前側端面には横向き板が固定的に設けられ、前記横向き板の底部には日よけカバーが回転できるように設けられ、前記日よけカバーの左右両端面には軸ピンが固定的に設けられ、前記軸ピンと前記横向き板とが回転できるように取り付けられ、前記横向き板の頂部には固定ブロックが固定的に設けられ、前記固定ブロックの中には調節機構が設けられ、前記調節機構は前記日よけカバーの角度を調節でき、これにより前記日よけカバーの日よけ効果がよりよくなる。
【０００６】
更の技術プラン、前記ロック機構は前記ロックブロックの中に設けられたラック溝を含み、前記ラック溝の中にはラックがスライドできるように設けられ、前記ラックが左へ一回曲がって下へ一回曲がり、前記ラックと前記ロックブロックの底部端面との間には押圧バネが弾性を持つように連結され、前記ラック溝の左側端面には歯車チャンバが設けられ、前記歯車チャンバの中には歯車が回転できるように設けられ、前記歯車と前記ラックとが噛合できるように設けられ、前記歯車チャンバの左側端壁にはスライド溝が設けられ、前記スライド溝の中には引掛り板がスライドできるように設けられ、前記引掛り板と前記歯車とが噛合できるように設けられ、前記引掛り板の左側端面には復帰機構が固定的に設けられ、前記引掛り板が前記位置制限ブロックに引掛り、これにより締めベルトが単一方向にしか運動できなく、外す時、ラックを押し、歯車を回転させ、引掛り板を連動させて上へ位置制限ブロックから離脱させ、これにより締めベルトが位置を制限しなくなり、これにより締めベルトを引き出すことができる。
【０００７】
更の技術プラン、前記調節機構は前記固定ブロックの中に設けられた位置制限チャンバを含み、前記位置制限チャンバの中には位置制限歯車が回転できるように設けられ、前記位置制限歯車の前端が傘歯車の設計であり、前記位置制限チャンバの左右両側端壁の中にはいずれも小型スライドチャンバが設けられ、前記小型スライドチャンバが左右に対称的に設けられ、前記小型スライドチャンバの中にはいずれも位置制限板がスライドできるように設けられ、前記位置制限板が前記位置制限歯車の位置を制限でき、前記位置制限板の頂部には復帰ブロックが固定的に設けられ、前記固定ブロックの頂部端面の中には押し板がスライドできるように設けられ、前記固定ブロックと前記位置制限板とが当接してスライドできるように設けられ、前記押し板の頂端には押しブロックが固定的に設けられ、前記押しブロックの底端と前記固定ブロックの頂端とがバネにより弾性を持つように連結され、前記横向き板の中には伝動チャンバが設けられ、前記伝動チャンバと前記位置制限チャンバとの間には縦軸が回転できるように設けられ、前記縦軸の頂端には第一傘歯車が固定的に設けられ、前記第一傘歯車と前記位置制限歯車とが噛合できるように設けられ、前記縦軸の底端には第二傘歯車が固定的に設けられ、前記横向き板の中には横軸が回転できるように設けられ、前記横軸が前記伝動チャンバを貫通しており、前記横軸の外周には第三傘歯車が固定的に設けられ、前記第三傘歯車と前記第二傘歯車とが噛合できるように設けられ、前記横向き板の中には前記伝動チャンバを対して左右に対称するプーリー溝が設けられ、左側の前記プーリー溝を例として詳しく説明し、前記軸ピンの左側末端には前記プーリー溝の中に位置している大型プーリーが固定的に設けられ、前記横軸の左側末端には小型プーリーが固定的に設けられ、前記小型プーリーと前記大型プーリーとの間がベルトにより伝動できるように連結され、左右に対称する前記プーリー溝の中の機構も同じく設置され、押しブロックを押し、押し板に位置制限板を押圧させ、これにより位置制限板を位置制限歯車から遠く離れさせ、位置制限歯車の位置が制限されなくなり、手動で日よけカバーの角度を調節し、調節完了後に押しブロックを放し、押しブロックを復帰させ、位置制限板が位置制限歯車を固定し、日よけカバーを固定する。
【０００８】
使用する時、ネックカバーを底部から頭からつけ、締めベルトを後ろに曲げてロックブロックに貫通させ、適する緩さまで調整し、ラックを押し、ラックに歯車を回転連動させ、これにより引掛り板を上に移動させ、引掛り板を位置制限ブロックから離脱させ、これにより締めベルトの位置が制限されなくなり、押しブロックを押し、押し板が位置制御板を押圧し位置制限歯車から遠く離れさせ、これにより位置制限歯車が回転でき、これにより横軸が回転でき、これにより日よけカバーの角度を調節でき、手動で日よけカバーの角度を調節し、調節完了後、押しブロックを放し、位置制限板を復帰させ位置制限歯車を固定し、これにより縦軸が回転できなくなり、これにより横軸が回転できなくなり、日よけカバーの位置を固定する目的を達成する。
【発明の効果】
【０００９】
本発明は構造が簡単で、使用が便利であり、また本フェイスマスクはつけやすく、便利につけることができ、ロック機構によりフェイスマスクを速くつけることができ、さらに本フェイスマスクの日よけカバーは日差しの強い時に角度を調節でき、日よけカバーが日よけと風よけの効果を果たす。
【図面の簡単な説明】
【００１０】
説明しやすいため、本発明は以下の具体的な実施例と付図を交え詳しく説明する。
【００１１】
【図１】図１は本発明のつけやすいサイクリングフェイスマスクの前側外観略図
【図２】図２は本発明のつけやすいサイクリングフェイスマスクの内部全体構成略図
【図３】図３は本発明の日よけカバーの略図
【図４】図４は本発明のロックブロックの内部構成略図
【図５】図５は本発明のロックブロックの上面構成略図
【図６】図６は本発明の図２のＡの部分拡大略図
【図７】図７は本発明の図２のＢの部分拡大略図
【発明を実施するための形態】
【００１２】
以下、図１〜７を合わせて本発明について詳しく説明し、また、説明の便利を図るため、下記に記載の上下左右前後方向が図１自身の投影関係の上下左右前後方向と一致することにする。
【００１３】
図１〜７を参照し、本発明のつけやすいサイクリングフェイスマスクは、ネックカバー１０を含み、前記ネックカバー１０の中には着用チャンバ２０が設けられ、前記着用チャンバ２０の底部が開口しており、前記着用チャンバ２０の前側にはフェイスマスク１７が設けられ、前記フェイスマスク１７の裏の左右両側には締めベルト１６が固定的に設けられ、前記締めベルト１６が前記ネックカバー１０を貫通しており、右側の前記締めベルト１６の前側端面には位置制限ブロック２２が固定的に設けられ、左側の前記締めベルト１６にはロックブロック１９が固定的に設けられ、前記ロックブロック１９の中にはロック機構７０が設けられ、前記ロック機構７０は前記締めベルト１６をロックすることができ、前記フェイスマスク１７を顔面にくっつけ、前記ネックカバー１０の頂部にはヘルメット１１が固定的に設けられ、前記ヘルメット１１の前側端面には横向き板１３が固定的に設けられ、前記横向き板１３の底部には日よけカバー１２が回転できるように設けられ、前記日よけカバー１２の左右両端面には軸ピン１４が固定的に設けられ、前記軸ピン１４と前記横向き板１３とが回転できるように取り付けられ、前記横向き板１３の頂部には固定ブロック１５が固定的に設けられ、前記固定ブロック１５の中には調節機構７１が設けられ、前記調節機構７１は前記日よけカバー１２の角度を調節でき、これにより前記日よけカバー１２の日よけ効果がよりよくなる。
【００１４】
前記ロック機構７０は前記ロックブロック１９の中に設けられたラック溝２３を含み、前記ラック溝２３の中にはラック２５がスライドできるように設けられ、前記ラック２５が左へ一回曲がって下へ一回曲がり、前記ラック２５と前記ロックブロック１９の底部端面との間には押圧バネ２６が弾性を持つように連結され、前記ラック溝２３の左側端面には歯車チャンバ３０が設けられ、前記歯車チャンバ３０の中には歯車２４が回転できるように設けられ、前記歯車２４と前記ラック２５とが噛合できるように設けられ、前記歯車チャンバ３０の左側端壁にはスライド溝２７が設けられ、前記スライド溝２７の中には引掛り板２８がスライドできるように設けられ、前記引掛り板２８と前記歯車２４とが噛合できるように設けられ、前記引掛り板２８の左側端面には復帰機構２９が固定的に設けられ、前記引掛り板２８が前記位置制限ブロック２２に引掛り、これにより締めベルト１６が単一方向にしか運動できなく、外す時、ラック２５を押し、歯車２４を回転させ、引掛り板２８を連動させて上へ位置制限ブロック２２から離脱させ、これにより締めベルト１６が位置を制限しなくなり、これにより締めベルト１６を引き出すことができる。
【００１５】
前記調節機構７１は前記固定ブロック１５の中に設けられた位置制限チャンバ３５を含み、前記位置制限チャンバ３５の中には位置制限歯車４２が回転できるように設けられ、前記位置制限歯車４２の前端が傘歯車の設計であり、前記位置制限チャンバ３５の左右両側端壁の中にはいずれも小型スライドチャンバ３２が設けられ、前記小型スライドチャンバ３２が左右に対称的に設けられ、前記小型スライドチャンバ３２の中にはいずれも位置制限板３４がスライドできるように設けられ、前記位置制限板３４が前記位置制限歯車４２の位置を制限でき、前記位置制限板３４の頂部には復帰ブロック３３が固定的に設けられ、前記固定ブロック１５の頂部端面の中には押し板４５がスライドできるように設けられ、前記固定ブロック１５と前記位置制限板３４とが当接してスライドできるように設けられ、前記押し板４５の頂端には押しブロック３１が固定的に設けられ、前記押しブロック３１の底端と前記固定ブロック１５の頂端とがバネ４４により弾性を持つように連結され、前記横向き板１３の中には伝動チャンバ３８が設けられ、前記伝動チャンバ３８と前記位置制限チャンバ３５との間には縦軸４１が回転できるように設けられ、前記縦軸４１の頂端には第一傘歯車３６が固定的に設けられ、前記第一傘歯車３６と前記位置制限歯車４２とが噛合できるように設けられ、前記縦軸４１の底端には第二傘歯車３７が固定的に設けられ、前記横向き板１３の中には横軸４０が回転できるように設けられ、前記横軸４０が前記伝動チャンバ３８を貫通しており、前記横軸４０の外周には第三傘歯車３９が固定的に設けられ、前記第三傘歯車３９と前記第二傘歯車３７とが噛合できるように設けられ、前記横向き板１３の中には前記伝動チャンバ３８を対して左右に対称するプーリー溝４６が設けられ、左側の前記プーリー溝４６を例として詳しく説明し、前記軸ピン１４の左側末端には前記プーリー溝４６の中に位置している大型プーリー４７が固定的に設けられ、前記横軸４０の左側末端には小型プーリー４９が固定的に設けられ、前記小型プーリー４９と前記大型プーリー４７との間がベルト４８により伝動できるように連結され、左右に対称する前記プーリー溝４６の中の機構も同じく設置され、押しブロック３１を押し、押し板４５に位置制限板３４を押圧させ、これにより位置制限板３４を位置制限歯車４２から遠く離れさせ、位置制限歯車４２の位置が制限されなくなり、手動で日よけカバー１２の角度を調節し、調節完了後に押しブロック３１を放し、押しブロック３１を復帰させ、位置制限板３４が位置制限歯車４２を固定し、日よけカバー１２を固定する。
【００１６】
使用する時、ネックカバー１０を底部から頭からつけ、締めベルト１６を後ろに曲げてロックブロック１９に貫通させ、適する緩さまで調整し、ラック２５を押し、ラック２５に歯車２４を回転連動させ、これにより引掛り板２８を上に移動させ、引掛り板２８を位置制限ブロック２２から離脱させ、これにより締めベルト１６の位置が制限されなくなり、押しブロック３１を押し、押し板４５が位置制御板３４を押圧し位置制限歯車４２から遠く離れさせ、これにより位置制限歯車４２が回転でき、これにより横軸４０が回転でき、これにより日よけカバー１２の角度を調節でき、手動で日よけカバー１２の角度を調節し、調節完了後、押しブロック３１を放し、位置制限板３４を復帰させ位置制限歯車４２を固定し、これにより縦軸４１が回転できなくなり、これにより横軸４０が回転できなくなり、日よけカバー１２の位置を固定する目的を達成する。
【００１７】
本発明の有益効果は：本発明は構造が簡単で、使用が便利であり、また本フェイスマスクはつけやすく、便利につけることができ、ロック機構によりフェイスマスクを速くつけることができ、さらに本フェイスマスクの日よけカバーは日差しの強い時に角度を調節でき、日よけカバーが日よけと風よけの効果を果たす。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172734.tif 000003
【図２】
2020172734.tif 000004
【図３】
2020172734.tif 000005
【図４】
2020172734.tif 000006
【図５】
2020172734.tif 000007
【図６】
2020172734.tif 000008
【図７】
2020172734.tif 000009